(57)【要約】      （修正有）【課題】パチンコ遊技機の実稼働時に、球循環通路を循環している遊技球をクリーニングすることができ、そのクリーニングのために、遊技球の位置エネルギーを利用して、駆動手段を別途必要とせず、構造を簡単化、コンパクト化したパチンコ遊技機を提供する。【解決手段】球発射部に遊技球Ｂを供給する球供給通路と遊技領域から遊技球Ｂを排出する球排出通路３２とを有し遊技領域を介して遊技球Ｂを循環させる球循環通路の一部（球排出通路３２）に、遊技球Ｂが転動して反復的に回転運動しながら落下する転動通路部３４を形成する転動通路形成部材４０を設ける。【選択図】図１０
2012029846.tif 000002
【特許請求の範囲】
【請求項１】
遊技盤に形成された遊技領域へ遊技球を発射する球発射部と、球発射部に遊技球を供給する球供給通路と遊技領域から遊技球を排出する球排出通路とを有し遊技領域を介して遊技球を循環させる球循環通路の少なくとも一部とを備えたパチンコ遊技機において、
前記遊技球が転動して反復的に回転運動しながら落下する転動通路部を前記球循環通路の一部に形成する転動通路形成部材を設けたことを特徴とするパチンコ遊技機。
【請求項２】
前記転動通路形成部材は、遊技球が回転運動するすり鉢状の転動面を有することを特徴とする請求項１に記載のパチンコ遊技機。
【請求項３】
前記転動通路形成部材の転動面の横断面形状は、真円に形成されたことを特徴とする請求項２に記載のパチンコ遊技機。
【請求項４】
前記転動通路形成部材の転動面は、遊技球との接触により遊技球をクリーニングする機能を有することを特徴とする請求項３に記載のパチンコ遊技機。
【請求項５】
前記転動通路形成部材に交換可能に装着されたシート状又は膜状の研磨部材により前記転動面が形成されたことを特徴とする請求項４に記載のパチンコ遊技機。
【請求項６】
前記球排出通路に前記転動通路部を設けたことを特徴とする請求項１〜５の何れか１項に記載のパチンコ遊技機。
【請求項７】
前記遊技球を外部へ取出し不可能に封入した球封入式のパチンコ遊技機であることを特徴とする請求項１〜６の何れか１項に記載のパチンコ遊技機。
【発明の詳細な説明】
【技術分野】
【０００１】
本発明はパチンコ遊技機に関し、特に、遊技球が転動して反復的に回転運動しながら落下する転動通路部を球循環通路の一部に形成したものである。
【背景技術】
【０００２】
従来、パチンコ遊技機においては、発射ハンドルが回動操作されると、貯留皿から球発射部に供給された遊技球が、その球発射部により遊技盤に形成された遊技領域へ発射される。貯留皿に複数の遊技球が存在する場合には、複数の遊技球が約０．６秒間隔で連続発射される。遊技領域には複数の入賞口が設けられており、遊技球が入賞口に入賞した場合、遊技球の入賞１個につき複数（数個から十数個）の遊技球を獲得することができる。
【０００３】
遊技領域に入賞口として始動口と開閉式の大入賞口とが設けられた近年主流のパチンコ遊技機では、遊技球が始動口に入賞した場合に大当り抽選が行われ、その大当り抽選で当選した場合、通常は閉塞の大入賞口が複数ラウンドに亙って開閉する大当り遊技が発生する。この大当り遊技の発生により、短期間に複数の遊技球が大入賞口に入賞するため、大量（数百個から千数百個程度）の遊技球を獲得することができる。
【０００４】
一般的なパチンコ遊技機では、獲得した遊技球は全て貯留皿に払出される。故に、大当り遊技が発生した場合、貯留皿の遊技球はオーバーフローになるため、払出された遊技球の多くを貯留皿から外部へ取出し貯留箱（所謂、ドル箱）に入れ持球として保管し、後に、その持球を貯留皿に入れて使用することができる。通常、持球が無い場合、大当り遊技が発生するまでは、パチンコ遊技機に並設の球購入装置によって遊技球を複数（例えば、２５個）ずつ購入し貯留皿に入れて使用することになる。
【０００５】
複数のパチンコ遊技機を島構造体に設置したパチンコ遊技設備では、一般に、各パチンコ遊技機と島構造体とに亙って、各パチンコ遊技機の遊技領域を介して遊技球を循環させる球循環通路が設けられている。この球循環通路において、島構造体に複数のパチンコ遊技機に共通の島側球供給通路と島側球排出通路とが設けられ、各パチンコ遊技機に、島側球供給通路から遊技球を貯留皿（即ち、球発射部）に供給する球供給通路と、遊技領域（アウト口等）から遊技球を島側球排出通路へ排出する球排出通路とが設けられている。
【０００６】
一方、遊技球を外部へ取出し不可能に封入した球封入式のパチンコ遊技機が実用化されている。この球封入式のパチンコ遊技機では、そのコンピュータにより、遊技球の購入数、発射数、獲得数等が管理され、故に、所定数（例えば、数百個から数千個程度）の遊技球を遊技機内で循環させるように封入して遊技可能に構成することができる。島構造体の島側球供給通路と島側球排出通路とを省略することもできる。
【０００７】
ところで、従来のパチンコ遊技設備では、通常、パチンコ遊技機の実稼働時外に、多数の遊技球をパチンコ遊技機から島側球排出通路を介して一括的に回収して専用の洗浄装置により洗浄する。しかし、このような遊技球の洗浄は非常に大掛かりな作業になるため、また、複数の球封入式のパチンコ遊技機から多数の遊技球を回収して洗浄することは不合理であると考えられるため、そして、パチンコ遊技機の実稼働時に循環している遊技球をクリーニングすべき要請から、次の技術が開発されている。
【０００８】
特許文献１のパチンコ遊技機（図１）では、発射された遊技球を遊技領域へ導く球発射通路の外側レールに、遊技球をクリーニングする研磨部材が設けられている。特許文献２のパチンコ遊技機（図５）では、遊技領域の右端側部分に別途レールで仕切られて、そのレールと外側レールとで球研磨通路が形成され、その球研磨通路の外側レールに研磨部材が設けられている。球研磨通路の上流端が開閉部材で開閉され、遊技球をクリーニングする場合、開閉部材が開けられた状態で、遊技球が右打ちされると球研磨通路に導入され研磨部材でクリーニングされる。特許文献３のパチンコ遊技機（図１）では、球排出通路の一部が傾斜直線状の研磨樋により形成され、この研磨樋に複数の切込みが形成され、その複数の切込みの段部で遊技球がクリーニングされる。
【０００９】
特許文献４のパチンコ遊技機（図１、図８）では、遊技球を球発射部に供給する球供給通路の一部がＵ字状通路に形成され、スプロケットと電動モータとを有する球搬送機構により、Ｕ字状通路の上昇通路で遊技球が上方へ搬送され、その上昇通路に遊技球と接触するようにクリーニング部材が配設されている。特許文献５（図１、図１２）のパチンコ遊技設備では、島構造体において、島側球排出通路側から島側球供給通路側へ至る上昇通路が設けられ、特許文献４と同様の球搬送機構により、上昇通路で遊技球が上方へ搬送され、その上昇通路に遊技球と接触するように研磨テープが配設されている。
【００１０】
特許文献４，５のクリーニング技術は、何れも、球搬送機構の駆動力を利用して遊技球をクリーニングするものである。特許文献６のパチンコ遊技機（図５、図７参照）では、遊技球を球発射部に供給する球供給通路の直線通路部に沿って細長いブラシ部材が配設され、そのブラシ部材が電動モータにより回転駆動され遊技球をクリーニングする。
【先行技術文献】
【特許文献】
【００１１】
【特許文献１】特開平９−２０１４６９号公報
【特許文献２】特開２００８−１３２２３０号公報
【特許文献３】実開平６−５６７８号公報
【特許文献４】特開２００２−１７７４６６号公報
【特許文献５】特開平９−２９９５８３号公報
【特許文献６】特開２００４−８１５８４号公報
【発明の概要】
【発明が解決しようとする課題】
【００１２】
特許文献４〜６のパチンコ遊技機やパチンコ遊技設備では、何れも、遊技球をクリーニングするために、電動モータ（駆動源）とその電動モータで駆動される部材（スプロケットやブラシ部材）が別途必要になるため、構造が複雑化し、製作コストが高価になり、消費電力も増えるためランニングコストが高価になり、故障の虞も高くなる。一方、特許文献１〜３のパチンコ遊技機では、遊技球をクリーニングする為の電動モータやその電動モータで駆動される部材を必要としないため、前記課題の改善が図られる。
【００１３】
しかし、特許文献１のパチンコ遊技機では、研磨部材が球発射通路の外側レールに設けられ、遊技球が発射後遊技領域へ導入されるまでの運動エネルギーを利用して、遊技球をクリーニングするため、遊技領域への遊技球の発射（つまり、遊技）に悪影響を与える。つまり、遊技球の遊技領域への導入速度が不安定になり、遊技者が発射ハンドルを操作して遊技球を所望の位置へ狙い打ちすることが難しくなる虞がある。更に、研磨部材の配置領域が大きいこと、見栄えが悪いこと、等の問題もある。
【００１４】
特許文献２のパチンコ遊技機では、遊技領域の右端側部分に、別途レールを設置して球研磨通路を設けなければならないため、しかも、その球研磨通路の上流端を開閉させなければならないため、遊技球をクリーニングする為の構成が非常に複雑化する。また、パチンコ遊技機の実稼働時（遊技中）に循環している遊技球をクリーニングすべきものではない。しかも、特許文献１のパチンコ遊技機と同様、研磨部材の配置領域が大きいこと、見栄えが悪いこと、等の問題もある。
【００１５】
特許文献３のパチンコ遊技機では、球排出通路の一部を形成する傾斜直線状の研磨樋で遊技球がクリーニングされるが、研磨樋の長さ、つまり、遊技球が研磨樋を転動する距離が短いため、クリーニング機能が低い。そこで、研磨樋の長さを長くする場合、研磨樋は傾斜直線状の部材であるため、研磨樋の大型化及び高コスト化を招き、研磨樋の設置スペースを確保することができない虞も高くなる。
【００１６】
本発明の目的は、パチンコ遊技機の実稼働時に、球循環通路を循環している遊技球をクリーニングすることができ、そのクリーニングのために、遊技球の位置エネルギーを利用して、駆動手段を別途必要としないこと、構造を簡単化、コンパクト化すること、製作コスト、ランニングコストを安価にすること、設置スペースを容易に確保すること、遊技領域への遊技球の発射（つまり、遊技）に悪影響を与えないようにすること、等である。
【課題を解決するための手段】
【００１７】
請求項１の発明は、遊技盤(10)に形成された遊技領域(11)へ遊技球(B) を発射する球発射部(14)と、球発射部(14)に遊技球(B) を供給する球供給通路(31)と遊技領域(11)から遊技球(B) を排出する球排出通路(32)とを有し遊技領域(11)を介して遊技球(B) を循環させる球循環通路(30)の少なくとも一部とを備えたパチンコ遊技機(1) において、前記遊技球(B) が転動して反復的に回転運動しながら落下する転動通路部(34)を前記球循環通路(30)の一部に形成する転動通路形成部材(40)を設けたことを特徴とする。
【００１８】
請求項２の発明は、請求項１の発明において、前記転動通路形成部材(40)は、遊技球(B) が回転運動するすり鉢状の転動面(40a) を有することを特徴とする。
【００１９】
請求項３の発明は、請求項２の発明において、前記転動通路形成部材(40)の転動面(40a) の横断面形状は、真円に形成されたことを特徴とする。
【００２０】
請求項４の発明は、請求項３の発明において、前記転動通路形成部材(40)の転動面(40a) は、遊技球(B) との接触により遊技球(B) をクリーニングする機能を有することを特徴とする。
【００２１】
請求項５の発明は、請求項４の発明において、前記転動通路形成部材(40)に交換可能に装着されたシート状又は膜状の研磨部材(42)により前記転動面(40a) が形成されたことを特徴とする。
【００２２】
請求項６の発明は、請求項１〜５の何れか１項の発明において、前記球排出通路(32)に前記転動通路部(34)を設けたことを特徴とする。
【００２３】
請求項７の発明は、請求項１〜６の何れか１項の発明において、前記遊技球(B) を外部へ取出し不可能に封入した球封入式のパチンコ遊技機(1) であることを特徴とする。
【発明の効果】
【００２４】
本発明のパチンコ遊技機によれば、遊技球が転動して反復的に回転運動しながら落下する転動通路部を球循環通路の一部に形成する転動通路形成部材を設けたので、パチンコ遊技機の実稼働時に、球循環通路を循環している遊技球が転動通路形成部材を転動して回転運動しながら落下するから、その遊技球をクリーニングすることができる。そのクリーニングのために、遊技球の位置エネルギーを利用して、駆動手段を別途必要としないため、更に、転動通路形成部材は遊技球を反復的に回転運動させながら落下させるものであるので、転動通路形成部材の構造を簡単化、コンパクト化することができる。従って、転動通路形成部材の製作コスト、ランニングコストを安価にすることができ、設置スペースを容易に確保することができ、しかも、遊技領域への遊技球の発射（つまり、遊技）に悪影響を与えないようにすることができ、尚且つ見栄えを悪化させないようにすることができる。
【図面の簡単な説明】
【００２５】
【図１】パチンコ遊技ユニットの斜視図である。
【図２】パチンコ遊技ユニットの正面図である。
【図３】パチンコ遊技ユニットの分解斜視図である。
【図４】球循環装置の斜視図である。
【図５】パチンコ遊技機と球循環装置の斜視図である。
【図６】球循環装置の分解斜視図である。
【図７】パチンコ遊技機と球循環装置の構成を示すブロック図である。
【図８】実施例１の転動通路形成部材を含む要部の斜視図である。
【図９】実施例１の転動通路形成部材を含む要部の平面図である。
【図１０】実施例１の転動通路形成部材を含む要部の後側から斜視図である。
【図１１】実施例１の転動通路形成部材を含む要部の後面図である。
【図１２】実施例１の転動通路形成部材の分解斜視図である。
【図１３】実施例２の図１０相当図である。
【図１４】実施例２の図１２相当図である。
【図１５】実施例３の図８相当図である。
【図１６】実施例３の図１０相当図である。
【図１７】実施例４の図９相当図である。
【図１８】実施例４の図１０相当図である。
【図１９】実施例５の図１０相当図である。
【図２０】実施例５の図１１相当図である。
【図２１】実施例６の図１０相当図である。
【図２２】実施例６の図１１相当図である。
【図２３】実施例７の図９相当図である。
【図２４】実施例７の図１０相当図である。
【図２５】実施例７の図１２相当図である。
【図２６】実施例８の転動通路形成部材の縦断面図である。
【図２７】実施例９のパチンコ遊技設備の平面図である。
【図２８】実施例９の各パチンコ遊技機と球循環装置の構成を示すブロック図である。
【発明を実施するための形態】
【００２６】
本発明は、遊技盤に形成された遊技領域へ遊技球を発射する球発射部と、球発射部に遊技球を供給する球供給通路と遊技領域から遊技球を排出する球排出通路とを有し遊技領域を介して遊技球を循環させる球循環通路とを備え、遊技球を外部へ取出し不可能に封入した球封入式のパチンコ遊技機に適用されている。
【実施例１】
【００２７】
図１〜図３に示すように、パチンコ遊技ユニットＰＵは、ユニットフレームＵＦに、パチンコ遊技機１（遊技機本体１）、洗浄装置２、ＣＲ装置３、第１，第２演出装置４，５、球循環装置６を装備して構成され、パチンコ遊技機１（パチンコ遊技ユニットＰＵ）は、複数（例えば、約３千個）の遊技球Ｂを外部へ取出し不可能に封入した球封入式のパチンコ遊技機１に構成されている。
【００２８】
ユニットフレームＵＦは、メインフレームＵＦａ、メインフレームＵＦａの左側に位置するサブフレームＵＦｂを有し、メインフレームＵＦａは前側（正面）を向いて、また、サブフレームＵＦｂは多少前方斜め右側を向いて、両フレームＵＦａ，ＵＦｂが遊技者の着座位置の方に向くように形成されている。
【００２９】
メインフレームＵＦａにパチンコ遊技機１と洗浄装置２とが組付けられ、サブフレームＵＦｂにＣＲ装置３と第１，第２演出装置４，５とが組付けられ、両フレームＵＦａ，ＵＦｂに亙って（主に、パチンコ遊技機１（メインフレームＵＦａ側）に）球循環装置６が組付けられている。
【００３０】
図１〜図７に示すように、パチンコ遊技機１は、遊技領域１１を前面側に形成する遊技盤１０、遊技盤１０（遊技領域１１）の前側を開閉する前面ガラス１３を有する開閉扉１２、遊技領域１１に遊技球Ｂを発射する球発射部１４（打撃槌等を有する）及び発射ハンドル１５、遊技盤１０に設けられた可動装置（大入賞口装置、演出用役物装置等）の制御等、遊技に関する各種制御処理を実行する遊技制御装置（図示略）を備えている。
【００３１】
遊技盤１０の遊技領域１１の下側部分に球発射部１４が設けられ、開閉扉１２の前面ガラス１３の右下側部分に発射ハンドル１５が設けられている。発射ハンドル１５を回動操作することで球発射部１４が作動し、その球発射部１４により、球発射部１４に供給された遊技球Ｂが発射される。発射された遊技球Ｂは、球発射通路１１ａにより遊技領域１１の上部に案内投入される。開閉扉１２には前面ガラス１３の下側に前方へ張出す下部張出部１２ａが形成され、この下部張出部１２ａに遊技操作盤１６が取付けられている。
【００３２】
球発射部１４には、球循環装置６の上皿ユニット２６によって遊技球Ｂが案内され、その上皿ユニット２６には、その左後部の球受皿部２６ａに球循環装置６の小ストック部２１から遊技球Ｂが案内されてくる。上皿ユニット２６は、球発射部１４に供給する複数（例えば、百個程度）の遊技球Ｂを貯留可能であり、この複数の遊技球Ｂの少なくとも一部については、外部から視認可能になっている。
【００３３】
遊技領域１１には、多数の障害釘と始動口と開閉式の大入賞口とを含む複数の入賞口とが適当な配置で設けられ（図示略）、遊技領域１１の下端にアウト口１１ｂが設けられている。遊技領域１１の上部に発射投入された遊技球Ｂは、複数の障害釘に当たって方向を変えながら落下して、複数の入賞口の何れかに入賞した場合、そこから遊技領域１１の外部へ、また、複数の入賞口の何れにも入賞しなかった場合には、最終的にアウト口１１ｂから遊技領域１１の外部へ、夫々、球循環装置６の球排出通路３２によって排出される。
【００３４】
遊技球Ｂが入賞口に入賞した場合、遊技球Ｂの入賞１個につき複数（数個から十数個）の遊技球Ｂを獲得することができる。遊技球Ｂが始動口に入賞した場合には大当り抽選が行われ、その大当り抽選で当選した場合、通常は閉塞の大入賞口が複数ラウンドに亙って開閉する大当り遊技が発生し、この大当り遊技の発生により、複数の遊技球Ｂが大入賞口に入賞するため、大量（数百個から千数百個程度）の遊技球Ｂを獲得することができる。
【００３５】
洗浄装置２は、パチンコ遊技ユニットＰＵ（パチンコ遊技機１）に封入された複数の遊技球Ｂを洗浄液を用いて洗浄するものである。ＣＲ装置３は、現金又は残高情報が記録された遊技カードの投入、更には遊技操作盤１６での操作により、パチンコ遊技機１で使用可能（遊技領域１１へ発射可能）な遊技球Ｂの購入や残高情報の更新、遊技カードの発行や回収を行うものである。第１，第２演出装置４，５は、夫々封入された複数（例えば、約千個）の遊技球Ｂを用いて遊技演出を行うものである。
【００３６】
尚、パチンコ遊技機１の遊技制御装置等のコンピュータによって、遊技球Ｂの購入数、発射数、獲得数等が管理され、（購入数）−（発射数）＋（獲得数）＝（持球数）として逐次算出され、その持球数が０になるまで、遊技球Ｂを遊技領域１１へ発射可能に、球循環装置６と球発射部１４等が制御される。ここで、発射ハンドル１５が回動操作された状態では、持球数が０になるまで、複数の遊技球Ｂが約０．６秒間隔で連続発射される。
【００３７】
次に、球循環装置６について詳しく説明する。
図３〜図７に示すように、球循環装置６は、大ストック部２０、小ストック部２１、洗浄前ストック部２２、第１，第２，第３振分機構２３，２４，２５、上皿ユニット２６、下端受皿２７、第１，第２球搬送機構２８，２９等を備えている。
【００３８】
大ストック部２０は封入された遊技球Ｂの全数（例えば、約３千個）をストック（貯留）可能であり、大ストック部２０の複数の遊技球Ｂは、第１振分機構２３により第１，第２演出装置４，５と小ストック部２１の何れかに振分けられる。例えば、第１，第２演出装置４，５と小ストック部２１に夫々約千個の遊技球Ｂが振分け供給される。
【００３９】
小ストック部２１の複数の遊技球Ｂは、第１搬送機構２８により上方へ搬送されて、第２振分機構２４により洗浄前ストック部２２と上皿ユニット２６と下端受皿２７の何れかに振分けられる。上皿ユニット２６に振分け供給された遊技球Ｂは、この上皿ユニット２６から球発射部１４に供給される。ここで、上皿ユニット２６と第１球搬送機構２８が、球発射部１４に遊技球Ｂを供給する球供給通路３１の一部を形成している。
【００４０】
上皿ユニット２６は、前記持球数が０でない場合、球発射部１４から遊技球Ｂが発射される度に、球発射部１４に遊技球Ｂを供給する。そして、上皿ユニット２６に貯留される遊技球Ｂが不足しないように、第２振分け機構２４、第１球搬送機構２８等により、上皿ユニット２６に遊技球Ｂが供給される。
【００４１】
球発射部１４で発射された遊技球Ｂは、球発射通路１１ａを通って遊技領域１１に投入され、その後、遊技領域１１のアウト口１１ｂと入賞口に連通する球排出通路３２により、遊技領域１１から排出され小ストック部２１に回収される。ここで、小ストック部２１、球供給通路３１（上皿ユニット２６、第１球搬送機構２８）、球排出通路３２等により、遊技領域１１（球発射通路１１ａ）を介して遊技球Ｂを循環させる球循環通路３０が構成されている。この球循環通路３０は全てパチンコ遊技機１に設けられている。
【００４２】
第１，第２演出装置４，５の複数の遊技球Ｂは、第３振分機構２５により洗浄前ストック部２２と下端受皿２７の何れかに振分けられる。洗浄前ストック部２２に振分け供給された遊技球Ｂは、そこから洗浄装置２に供給され、洗浄装置２で洗浄された後に、下端受皿２８ｂに供給される。下端受皿２８ｂに供給された遊技球Ｂは、第２球搬送機構２９により上昇されて大ストック部２０に供給される。
【００４３】
図６〜図１２に示すように、このパチンコ遊技機１には、遊技球Ｂが転動して反復的に回転運動しながら落下する転動通路部３４を球循環通路３０の一部に形成する転動通路形成部材４０が設けられている。この転動通路部３４は、球循環通路３０の球排出通路３２に設けられている。
【００４４】
転動通路形成部材４０等について詳しく説明する。
球排出通路３２において、その上流側部分にＴ字状の球集合通路部３３を形成する球集合通路形成部材３５が設けられ、その球集合通路部３３の下流側に螺旋状の転動通路部３４を形成可能な転動通路形成部材４０が設けられている。
【００４５】
球集合通路形成部材３５の下方近傍に転動通路形成部材４０が配置され、転動通路形成部材４０の下方近傍に小ストック部２１が配置されている。遊技領域１１のアウト口１１ｂや入賞口から排出された複数の遊技球Ｂは、球集合通路部３３により集合され、順次、その下端から放出されて転動通路部３４へ移行され、その転動通路部３４を反復的に回転運動しながら落下し、その下端から放出され小ストック部２１に回収される。
【００４６】
尚、小ストック部２１は上方を開口した横長箱状に形成され、この小ストック部２１の右部上方に転動通路形成部材４０が配置されている。小ストック部２１の底面は左前方に向かって下側へ傾斜しており、転動通路形成部材４０から回収された複数の遊技球Ｂは、小ストック部２１の左前部へ移動し、そこから第１搬送機構２８に供給される。
【００４７】
転動通路形成部材４０は、遊技球Ｂが回転運動するすり鉢状の転動面４０ａを有し、その転動面４０ａの中心下端側に落下孔４０ｂを有する。転動通路形成部材４０の転動面４０ａの横断面形状は、真円に形成され、その転動面４０ａの縦断面の傾きは高さ位置によらず一定である。例えば、転動面４０ａの上端横断面の円の直径は遊技球Ｂの直径の１０倍程度あり、転動面４０ａの縦断面の傾きは約４０度である。
【００４８】
遊技球Ｂは、球集合通路部３３の下流端から、転動通路形成部材４０の転動面４０ａの上端側且つ左端側において、後方（水平方向）へ適当な速度で放出されることで、転動通路部３４を数秒間（例えば、３〜５秒程度）に亙って平面視にて時計回り方向へ数回転（例えば、３〜５回転）しつつ落下して通過する。
【００４９】
転動通路形成部材４０の転動面４０ａは、遊技球Ｂとの接触により遊技球Ｂをクリーニングする機能を有する。転動通路形成部材４０は、転動面４０ａと略同形同サイズの滑らかな内面４１ａを有する合成樹脂製の本体部材４１と、この本体部材４１の内面４１ａ全体に交換可能に装着されたシート状又は膜状の研磨部材４２とを有し、この研磨部材４２により転動面４０ａが形成されて、クリーニング機能が得られる。
【００５０】
研磨部材４２は、この研磨部材４２を転動する遊技球Ｂに比較的高摩擦を付与する材料で構成されて、遊技球Ｂの汚れを取るように遊技球Ｂを研磨する。この研磨部材４２は、ドーナツ形状の一部を切欠いた部分ドーナツ状に別途形成され、本体部材４１の内面４１ａに沿う形状に湾曲させ周方向両端同士を近接させて、本体部材４１の内面４１ａに密着状にテープ材等で貼付けられている。
【００５１】
転動通路形成部材４０の本体部材４１の上端部に左右１対の突出片４１ｂが一体的に形成され、この１対の突出片４１ｂが、小ストック部２１等に固定の部材にビス等で取付けられ、転動通路形成部材４０はその軸心を鉛直にして安定した状態で固定されている。
【００５２】
尚、転動通路形成部材４０のサイズ、形状（転動面４０ａの傾き等）については、遊技球Ｂの転動通路部３４への移行時の速度や、研磨部材４２と遊技球Ｂとの間に作用する摩擦等を加味して、転動通路部３４に数個（例えば、５〜６個）の遊技球Ｂが同時に滞在し且つできるだけ衝突せずにスムーズに転動し得るように、そして、所望のクリーニング機能が得られるように、適宜設定される。
【００５３】
このパチンコ遊技機１（球循環装置６）によれば、次の効果を奏する。
遊技球Ｂが転動して反復的に回転運動しながら落下する転動通路部３４を球循環通路３０の一部に形成する転動通路形成部材４０を設けたので、パチンコ遊技機１の実稼働時に、球循環通路３０を循環している遊技球Ｂが転動通路形成部材４０を転動して回転運動しながら落下するから、その遊技球Ｂをクリーニングすることができる。つまり、遊技球Ｂの汚れを極力除去して、その遊技球Ｂを用いて正常に遊技すること、つまり、正常な遊技球Ｂの発射、障害釘との衝突（跳返り）、入賞口への入賞等を維持することができる。
【００５４】
そのクリーニングのために、遊技球Ｂの位置エネルギーを利用して、駆動手段を別途必要としないため、更に、転動通路形成部材４０は遊技球Ｂを反復的に回転運動させながら落下させるものであるので、転動通路形成部材４０の構造を簡単化、コンパクト化することができる。従って、転動通路形成部材４０の製作コスト、ランニングコストを安価にすることができ、設置スペースを容易に確保することができ、しかも、遊技領域１１への遊技球Ｂの発射（つまり、遊技）に悪影響を与えないようにすることができ、尚且つ見栄えを悪化させないようにすることができる。
【００５５】
転動通路形成部材４０は、遊技球Ｂが回転運動するすり鉢状の転動面４０ａを有するので、転動通路形成部材４０の構造が簡単化し、そして、転動通路部３４に遊技球Ｂが水平方向に適当な速度で導入されることで、この転動面４０ａを遊技球が確実に転動して回転運動しながら落下する。つまり、構造が簡単な転動通路形成部材４０により、遊技球Ｂが転動して回転運動しながら落下する転動通路部３４を形成することができる。
【００５６】
転動通路形成部材４０の転動面４０ａの横断面形状は、真円に形成されているので、転動通路形成部材４０の構造が簡単に且つコンパクトになり、遊技球Ｂをスムーズに回転運動させながら落下させることができる。
【００５７】
転動通路形成部材４０の転動面４０ａは、遊技球Ｂとの接触により遊技球Ｂをクリーニングする機能を有するので、遊技球Ｂが転動通路形成部材４０の転動面４０ａを転動して回転運動しながら落下することで、遊技球Ｂを確実にクリーニングすることができる。
【００５８】
転動通路形成部材４０に交換可能に装着されたシート状又は膜状の研磨部材４２により転動面４０ａが形成されているので、転動通路形成部材４０の母体、つまり本体部材４１の構造を簡単にすることができ、そして、研磨部材４２の長期使用によりクリーニング機能が低下した場合には、新しい研磨部材４２に交換することで、クリーニング機能を容易に改善することができる。
【００５９】
球排出通路３２に転動通路部３４を設けたので、遊技球Ｂが遊技領域１１（遊技盤１０）に発射されることで、その遊技球Ｂが汚れた場合でも、遊技領域１１から排出された後、その遊技球Ｂを直ちにクリーニングすることができる。
【００６０】
パチンコ遊技機１は、遊技球Ｂを外部へ取出し不可能に封入した球封入式のパチンコ遊技機１であるので、複数のパチンコ遊技機を島構造体に設置した一般的なパチンコ遊技設備とは異なり、複数の球封入式のパチンコ遊技機１から多数の遊技球Ｂを一括的に回収して洗浄するように構成することは不合理である。
【００６１】
そこで、パチンコ遊技機１に個別に洗浄装置２を設けてあるが、この洗浄装置２を用いて、パチンコ遊技機１の実稼働時に遊技球Ｂを洗浄することは物理的にも規則的にも難しく、故に、転動通路部３４を球循環通路３０の一部に形成する転動通路形成部材４０を設けることで、この転動通路形成部材４０により、パチンコ遊技機１の実稼働時に遊技球Ｂをクリーニングすることができる。
【００６２】
尚、転動通路形成部材４０において、研磨部材４２を省略し、その研磨部材４２に相当し且つ耐久性が比較的高い研磨部を、本体部材４１の内面４１ａに一体的に形成してもよい。転動通路形成部材４０の部品点数が減り、製作コスト的に有利になる。
【００６３】
次に、実施例１の主に転動通路形成部材４０を変更した実施例２以降の実施例について説明する。尚、実施例１と同一又は類似するものについては、同一符号又は類似符号を付して適宜説明を省略し、実施例１と同一又は類似する作用・効果も適宜説明を省略する。
【実施例２】
【００６４】
図１３、図１４に示すように、転動通路形成部材４０Ａは、実施例１の転動通路形成部材４０の転動面４０ａに螺旋状の突起部４０Ａｃを設けたものであり、その螺旋状の突起部４０Ａｃで仕切られた螺旋状の転動面４０Ａａを有する。この螺旋状の突起４０Ａｃにより、遊技球Ｂが螺旋状の転動面４０Ａａを転動するように確実に案内されて、転動通路部３４Ａを反復的に回転運動しながら落下する。
【００６５】
転動通路形成部材４０Ａにおいて、本体部材４１Ａの内面４１Ａａに螺旋状の突起部４０Ａｃが一体的に形成され、螺旋状の転動面４０Ａａを形成する研磨部材４２Ａは、渦巻き状に形成され、本体部材４１Ａの内面４１Ａａのうち螺旋状の突起部４０Ａｃで仕切られた螺旋状部分に密着状にテープ材等で貼付けられている。
【００６６】
尚、転動通路形成部材４０Ａにおいて、研磨部材４２Ａを省略し、その研磨部材４２Ａに相当し且つ耐久性が比較的高いものを、本体部材４１Ａの内面４１Ａａ（内面４１Ａａのうち螺旋状の突起部４０Ａｃで仕切られた螺旋状部分）に一体的に形成してもよい。転動通路形成部材４０Ａの部品点数が減り、製作コスト的に有利になる。
【実施例３】
【００６７】
図１５、図１６に示すように、遊技球Ｂが転動して反復的に回転運動しながら落下する転動通路部３４Ｂ１，３４Ｂ２を球排出通路３２Ｂに１対形成する１対の転動通路形成部材４０Ｂ（４０Ｂ１，４０Ｂ２）が設けられ、この１対の転動通路部３４Ｂ１，３４Ｂ２は、高さ位置を異ならせて比較的接近した位置に配置され且つ直列状に接続されている。各転動通路形成部材４０Ｂ１，４０Ｂ２は、実施例１の転動通路形成部材４０と同様の構造である。
【００６８】
転動通路形成部材４０Ｂ１が、球集合通路形成部材３６の下方近傍に配置され、転動通路形成部材４０Ｂ２は、転動通路形成部材４０Ｂ１の斜め右前側且つ斜め下側に配置され、転動通路形成部材４０Ｂ２の下方近傍に小ストック部２１が配置されている。１対の転動通路形成部材４０Ｂ１，４０Ｂ２は、夫々、その１対の突出片４１ｂが、小ストック部２１等に固定の部材にビス等で取付けられ、その軸心を鉛直にして安定した状態で固定されている。
【００６９】
上側の転動通路部３４Ｂ１の下流端（落下孔４０ｂ）と下側の転動通路部３４Ｂ２の上流端とを接続する接続通路部５０を球排出通路３２Ｂの一部に形成する接続通路形成部材５１が設けられている。この接続通路形成部材５１は、湾曲樋状に形成され、その上端部が上側の転動通路形成部材４０Ｂ１の落下孔４０ｂの周囲部に取付けられ、下側の転動通路形成部材４０Ｂ２の方へ延びている。
【００７０】
遊技球Ｂは、先ず、球集合通路部３３から、上側の転動通路形成部材４０Ｂ１の転動面４０ａの上端側且つ左端側において、後方（水平方向）へ適当な速度で放出されることで、その転動通路部３４Ｂ１を数秒間（例えば、３〜５秒程度）に亙って平面視にて時計回り方向へ数回転（例えば、３〜５回転）しつつ落下して通過する。
【００７１】
次に、遊技球Ｂは、接続通路部５０から、下側の転動通路形成部材４０Ｂ２の転動面４０ａの上端側且つ左端側において、前方（水平方向）へ適当な速度で放出されることで、その転動通路部３４Ｂ２を数秒間（例えば、３〜５秒程度）に亙って平面視にて反時計回り方向へ数回転（例えば、３〜５回転）しつつ落下して通過する。
【００７２】
このように、遊技球Ｂが転動して反復的に回転運動しながら落下する転動通路部３４Ｂ１，３４Ｂ２を球排出通路３２Ｂに１対形成する１対の転動通路形成部材４０Ｂ１，４０Ｂ２を設けたことにより、遊技球Ｂが転動面４０ａを転動する距離を長くし、しかも、遊技球Ｂの外周部の一部だけを転動面４０ａに接触させるのではなく、遊技球Ｂの転動通路形成部材４０Ｂ１から転動通路形成部材４０Ｂ２への移行により、遊技球Ｂをできるだけ均一的に全体的に転動面４０ａに接触させることもできるため、遊技球Ｂのクリーニング機能を高めることができる。
【００７３】
尚、１対の転動通路形成部材４０Ｂ１，４０Ｂ２は高さ位置を異ならせて配置されるが、１対の転動通路形成部材４０Ｂ１，４０Ｂ２の水平方向の位置関係については種々考えられる。例えば、上側の転動通路形成部材４０Ｂ１の真下に下側の転動通路形成部材４０Ｂ２を配置してもよい。また、３個以上の複数の転動通路形成部材を設け、この複数の転動通路部を高さ位置を異ならせて配置し且つ直列状に接続してもよい。
【実施例４】
【００７４】
図１７、図１８に示すように、遊技球Ｂが転動して反復的に回転運動しながら落下する転動通路部３４Ｃを排出通路３２Ｃの一部に形成する転動通路形成部材４０Ｃは、遊技球Ｂが回転運動するすり鉢状の転動面４０Ｃａであって横断面形状が左右方向に長い長円に形成された転動面４０Ｃａを有し、その転動面４０Ｃａの中心下端側に左右方向に長い長孔からなる落下孔４０Ｃｂを有する。転動通路形成部材４０Ｃは、その１対の突出片４１Ｃｂが、小ストック部２１等に固定の部材にビス等で取付けられ、その軸心を鉛直にして安定した状態で固定されている。
【００７５】
転動通路形成部材４０Ｃの転動面４０Ｃａの縦断面の傾きは高さ位置によらず一定である。例えば、転動面４０Ｃａの上端横断面の長円の短径は遊技球Ｂの直径の１０倍程度あり、長径は短径の１．５倍（遊技球Ｂの直径の１５倍）程度あり、転動面４０Ｃａの縦断面の傾きは約４０度である。
【００７６】
転動通路形成部材４０Ｃの転動面４０Ｃａは、遊技球Ｂとの接触により遊技球Ｂをクリーニングする機能を有し、そのために、転動面４０Ｃａは遊技球Ｂに比較的高摩擦を付与し且つ耐久性が比較的高い研磨部に形成されている。尚、転動通路形成部材４０Ｃに交換可能に装着されたシート状又は膜状の研磨部材により転動面４０Ｃａを形成してもよい。尚、転動面４０Ｃａを長円でなはなく楕円に形成してもよい。
【実施例５】
【００７７】
図１９、図２０に示すように、遊技球Ｂが転動して反復的に回転運動しながら落下する転動通路部３４Ｄを排出通路３２Ｄの一部に形成する転動通路形成部材４０Ｄは、遊技球Ｂが回転運動するすり鉢状の転動面４０Ｄａであって縦断面の傾きが上方ほど大きくなる転動面４０Ｄａを有し、その転動面４０Ｄａの中心下端側に落下孔４０Ｄｂを有する。転動通路形成部材４０Ｄは、その１対の突出片４１Ｄｂが、小ストック部２１等に固定の部材にビス等で取付けられ、その軸心を鉛直にして安定した状態で固定されている。
【００７８】
転動通路形成部材４０Ｄの転動面４０Ｄａの横断面形状は真円に形成され、例えば、この転動面４０Ｄａの上端横断面の円の直径は遊技球Ｂの直径の１０倍程度あり、転動面４０Ｄａの縦断面の傾きについて、上端角度は約４５度、下端角度は約０度、変化率は略一定である。但し、その上端角度、下端角度、変化率については適宜変更可能である。
【００７９】
転動通路形成部材４０Ｄの転動面４０Ｄａは、遊技球Ｂとの接触により遊技球Ｂをクリーニングする機能を有し、そのために、転動面４０Ｄａは遊技球Ｂに比較的高摩擦を付与し且つ耐久性が比較的高い研磨部に形成されている。尚、転動通路形成部材４０Ｄに交換可能に装着されたシート状又は膜状の研磨部材により転動面４０Ｄａを形成してもよい。
【実施例６】
【００８０】
図２１、図２２に示すように、遊技球Ｂが転動して反復的に回転運動しながら落下する転動通路部３４Ｅを排出通路３２Ｅの一部に形成する転動通路形成部材４０Ｅは、遊技球Ｂが回転運動するすり鉢状の転動面４０Ｅａであって縦断面の傾きが下方ほど大きくなる転動面４０Ｅａを有し、その転動面４０Ｅａの中心下端側に落下孔４０Ｅｂを有する。転動通路形成部材４０Ｅは、その１対の突出片４１Ｅｂが、小ストック部２１等に固定の部材にビス等で取付けられ、その軸心を鉛直にして安定した状態で固定されている。
【００８１】
転動通路形成部材４０Ｅの転動面４０Ｅａの横断面形状は真円に形成され、例えば、この転動面４０Ｅａの上端横断面の円の直径は遊技球Ｂの直径の１０倍程度あり、転動面４０Ｅａの縦断面の傾きについて、上端角度は約４５度、下端角度は約９０度、変化率は略一定である。但し、その上端角度、下端角度、変化率については適宜変更可能である。
【００８２】
転動通路形成部材４０Ｅの転動面４０Ｅａは、遊技球Ｂとの接触により遊技球Ｂをクリーニングする機能を有し、そのために、転動面４０Ｅａは遊技球Ｂに比較的高摩擦を付与し且つ耐久性が比較的高い研磨部に形成されている。尚、転動通路形成部材４０Ｅに交換可能に装着されたシート状又は膜状の研磨部材により転動面４０Ｅａを形成してもよい。
【実施例７】
【００８３】
図２３〜図２５に示すように、遊技球Ｂが転動して反復的に回転運動しながら落下する転動通路部３４Ｆを排出通路３２Ｆの一部に形成する螺旋溝４０Ｆａを有する転動通路形成部材４０Ｆが設けられている。転動通路形成部材４０Ｆは、螺旋溝４０Ｆａの底面４０Ｆａ１が、遊技球Ｂが回転運動する転動面４０Ｆａ１となり、その螺旋溝４０Ｆａの中心下端側（螺旋溝４０Ｆａの下流端）に落下孔４０Ｆｂを有する。転動通路形成部材４０Ｆは、その１対の突出片４１Ｆｂが、小ストック部２１等に固定の部材にビス等で取付けられ、その軸心を鉛直にして安定した状態で固定されている。
【００８４】
例えば、螺旋溝４０Ｆａは、その外周端（上流端）から約２．５〜３周して中心（下流端）に至るように形成され、その勾配は５度程度ある。球集合通路部３３の下流端から、後方（水平方向）へ適当な速度で放出されて、螺旋溝４０Ｆａにおける上端且つ左端の上流端に移行され、この螺旋溝４０Ｆａを数秒間（例えば、３〜５秒程度）に亙って平面視にて時計回り方向へ数回転（例えば、２．５〜３回転）しつつ落下して通過し、最終的に落下孔４０Ｆｂから小ストック部２１に落下する。
【００８５】
螺旋溝４０Ｆａの底面４０Ｆａ１は、遊技球Ｂとの接触により遊技球Ｂをクリーニングする機能を有する。転動通路形成部材４０Ｆは、螺旋溝４０Ｆａと略同形の螺旋溝部分４１Ｆａを有する合成樹脂製の本体部材４１Ｆと、その螺旋溝部分４１Ｆａの底面全体に交換可能に装着されたシート状又は膜状の研磨部材４２Ｆとを有し、この研磨部材４２Ｆにより螺旋溝４０Ｆａの底面４０Ｆａ１が形成されて、クリーニング機能が得られる。
【００８６】
研磨部材４２Ｆは、遊技球Ｂに比較的高摩擦を付与する材質で構成されて、遊技球Ｂの汚れを取るように遊技球Ｂを研磨する。この研磨部材４２Ｆは渦巻き状に形成され、本体部材４１Ｆの螺旋溝部分４１Ｆａの底面に密着状にテープ材等で貼付けられている。
【実施例８】
【００８７】
図２６に示すように、遊技球Ｂが転動して反復的に回転運動しながら落下する螺旋通路部３４Ｇを排出通路３２Ｇの一部に形成する螺旋通路形成部材４０Ｇが設けられている。この螺旋通路形成部材４０Ｇは、合成樹脂製の筒状部材６０と、筒状部材６０に収容された螺旋羽根部材６１とを有する。筒状部材６０の上端に蓋部材６２が固定され、この蓋部材６２に螺旋羽根部材６１の軸部６１ａの上端が固着されている。
【００８８】
蓋部材６２に螺旋通路入口３４Ｇａが形成され、筒状部材６０の下端が螺旋通路出口３４Ｇｂになっている。遊技球Ｂは、螺旋通路入口３４Ｇａから螺旋通路部３４Ｇ内に入り、この螺旋通路部３４Ｇにおいて、螺旋羽根部材６１の上面を転動するとともに、遠心力により筒状部材６０の内面に押圧された状態で転動し、最終的に螺旋通路入口３４Ｇａから螺旋通路部３４Ｇ外へ排出され小ストック部２１に回収される。筒状部材６０の内面全体に、シート状又は膜状の研磨部材４２Ｇが交換可能に装着されている。
【実施例９】
【００８９】
図２７、図２８に示すように、パチンコ遊技設備ＰＥは、複数のパチンコ遊技機１Ｈを島構造体ＩＥに設置したものであり、各パチンコ遊技機１Ｈは、遊技球Ｂを外部へ取出し可能にした球非封入式のパチンコ遊技機１Ｈに構成され、実施例１のパチンコ遊技機１と同様の遊技領域１１、球発射通路１１ａ、アウト口１１ｂ、球発射部１４等を有するとともに、球非封入式用の上皿ユニット７５、払出機構７６を有する。
【００９０】
即ち、このパチンコ遊技機１Ｈでは、従来通り、持球Ｂが無い場合、パチンコ遊技機１Ｈに並設の球購入装置（図示略）によって遊技球Ｂを複数（例えば、２５個）ずつ購入して上皿ユニット７５に入れて使用し、その複数の遊技球Ｂは、上皿ユニット７５によって球発射部１４に順次供給される。遊技球Ｂが遊技領域１１の入賞口に入賞した場合、獲得した遊技球Ｂは払出機構７６により上皿ユニット７５に全て払出される。
【００９１】
故に、遊技球Ｂが遊技領域１１の始動口に入賞して、大当り抽選で当選し、遊技領域１１の大入賞口が複数ラウンドに亙って開閉する大当り遊技が発生した場合、短期間に複数の遊技球Ｂが大入賞口に入賞するため、大量（数百個から千数百個程度）の遊技球Ｂを獲得することができるが、上皿ユニット７５に払出された遊技球Ｂはオーバーフローになるため、その遊技球の多くを上皿ユニット７５から外部へ取出し貯留箱（所謂、ドル箱）に入れ持球として保管し、後に、その持球を貯留皿に入れて使用することができる。
【００９２】
このパチンコ遊技設備ＰＥでは、各パチンコ遊技機１Ｈと島構造体ＩＥとに亙って、各パチンコ遊技機１Ｈの遊技領域１１を介して遊技球Ｂを循環させる球循環通路３０Ｈが設けられている。この球循環通路３０Ｈにおいて、島構造体ＩＥに複数のパチンコ遊技機１Ｈに共通の島側球供給通路７０と島側球排出通路７１とが設けられ、各パチンコ遊技機１Ｈに、島側球供給通路７０から遊技球Ｂを払出機構７６及び上皿ユニット７５（即ち、球発射部１４）に供給する球供給通路３１Ｈと、遊技領域１１（アウト口１１ｂ等）から遊技球Ｂを島側球排出通路７１へ排出する球排出通路３２Ｈとが設けられている。
【００９３】
そして、各パチンコ遊技機１Ｈに、遊技球Ｂが転動して反復的に回転運動しながら落下する転動通路部３４Ｈを球排出通路３２Ｈの一部に形成する転動通路形成部材４０Ｈが設けられている。この転動通路形成部材４０Ｈとしては、実施例１〜８の転動通路形成部材４０，４０Ａ〜４０Ｇの何れかが採用されている。球封入式のパチンコ遊技機１と同様のクリーニング効果が得られる。
【００９４】
尚、実施例１〜９については、パチンコ遊技機の球循環通路の球排出通路の一部に、遊技球Ｂが転動して反復的に回転運動しながら落下する転動通路部を形成する転動通路形成部材を設けているが、その転動通路形成部材を省略し、或いは、その転動通路形成部材を設けた上で更に、球循環通路の球排出通路以外の通路部（例えば、球供給通路部の一部）に、遊技球Ｂが転動して反復的に回転運動しながら落下する転動通路部を形成する転動通路形成部材を設けてもよい。
【００９５】
その他、本発明の趣旨を逸脱しない範囲において、前記開示事項以外の種々の変更を付加して実施可能である。例えば、転動通路形成部材の転動面に１又は複数の凸部や凹部を設けてもよい。遊技球がこの凸部や凹部に接触することにより、衝突しない場合と比べて遊技球Ｂの移動軌跡が積極的に変化し、これにより、遊技球Ｂの外周部の一部だけを転動面に接触させるのではなく、遊技球Ｂをできるだけ均一的に全体的に転動面に接触させることができるため、クリーニング機能を高めることを期待できる。
【００９６】
また、本発明は、前記の球封入式のパチンコ遊技機以外の種々の球封入式のパチンコ遊技機への適用が可能であり、また、前記の球非封入式のパチンコ遊技機以外の種々の球非封入式のパチンコ遊技機への適用も可能である。
【符号の説明】
【００９７】
Ｂ  遊技球
１，１Ｈ  パチンコ遊技機
１０  遊技盤
１１  遊技領域
１４  球発射部
３０，３０Ｈ  球循環通路
３１，３１Ｈ  球供給通路
３２，３２Ｂ，３２Ｃ，３２Ｄ，３２Ｅ，３２Ｆ，３２Ｇ，３２Ｈ  球排出通路
３４，３４Ａ，３４Ｂ１，３４Ｂ２，３４Ｃ，３４Ｄ，３４Ｅ，３４Ｆ，３４Ｇ，３４Ｈ  転動通路部
４０，４０Ａ，４０Ｂ１，４０Ｂ２，４０Ｃ，４０Ｄ，４０Ｅ，４０Ｆ，４０Ｇ，４０Ｈ  転動通路形成部材
４０ａ，４０Ａａ，４０Ｃａ，４０Ｄａ，４０Ｅａ  転動面
４０Ｆａ  螺旋溝
４０Ｆａ１  底面
４２，４２Ａ，４２Ｆ，４２Ｇ  研磨部材
【図１】
2012029846.tif 000003
【図２】
2012029846.tif 000004
【図３】
2012029846.tif 000005
【図４】
2012029846.tif 000006
【図５】
2012029846.tif 000007
【図６】
2012029846.tif 000008
【図７】
2012029846.tif 000009
【図８】
2012029846.tif 000010
【図９】
2012029846.tif 000011
【図１０】
2012029846.tif 000012
【図１１】
2012029846.tif 000013
【図１２】
2012029846.tif 000014
【図１３】
2012029846.tif 000015
【図１４】
2012029846.tif 000016
【図１５】
2012029846.tif 000017
【図１６】
2012029846.tif 000018
【図１７】
2012029846.tif 000019
【図１８】
2012029846.tif 000020
【図１９】
2012029846.tif 000021
【図２０】
2012029846.tif 000022
【図２１】
2012029846.tif 000023
【図２２】
2012029846.tif 000024
【図２３】
2012029846.tif 000025
【図２４】
2012029846.tif 000026
【図２５】
2012029846.tif 000027
【図２６】
2012029846.tif 000028
【図２７】
2012029846.tif 000029
【図２８】
2012029846.tif 000030